(57)【要約】【課題】従来のリアプロジェクション装置では、スクリーンの外周とスクリーンフレームとの間に、スクリーンの膨張を考慮した間隙が設けられていた。そのため、スクリーンフレームに対してスクリーンがずれてしまうという課題がある。スクリーンがずれると、スクリーンフレームが変形し、キャビネットにスクリーンフレームを正常な形に戻そうとする応力が働く。これにより、キャビネットが変形してミラーの角度が変わってしまうことから、スクリーンに表示される画像に歪みが生じるという不具合が生じる。【解決手段】反射ミラーが取り付けられたキャビネットと、反射ミラーに向けて映像光を投射するプロジェクション本体と、反射ミラーによって反射された映像光が投影されるスクリーン５と、スクリーンを保持するスクリーンフレーム６と、を備え、スクリーン５の４つの辺に係合溝５３Ａ〜５３Ｄを設けると共に、スクリーンフレーム６に係合溝５３Ａ〜５３Ｄと係合する係合突部６６Ａ〜６６Ｄを設けた。【選択図】図７
2008191417.tif 000002
【特許請求の範囲】
【請求項１】
前面に開口された開口部を有すると共に内部に反射ミラーが取り付けられたキャビネットと、
前記キャビネットの内部に収納されると共に前記反射ミラーに向けて映像光を投射するプロジェクション本体と、
前記反射ミラーによって反射された前記映像光が投影される略四角形のスクリーンと、
前記スクリーンを保持すると共に前記キャビネットの前面に取り付けられるスクリーンフレームと、を備え、
前記スクリーンの少なくとも２辺に係合溝を設けると共に、前記スクリーンフレームに前記係合溝と係合する係合突部を設けたことを特徴とする
リアプロジェクション装置。
【請求項２】
前記係合溝と前記係合凸部は、当該係合溝を設けた辺が延在される方向への前記スクリーンの移動を抑制又は防止するように係合することを特徴とする
請求項１記載のリアプロジェクション装置。
【請求項３】
前記係合溝は、前記スクリーンの２以上の辺において、それぞれ略中間部に配置したことを特徴とする
請求項１記載のリアプロジェクション装置。
【請求項４】
前記係合溝は、前記スクリーンの上辺及び下辺に設けたことを特徴とする
請求項１記載のリアプロジェクション装置。
【請求項５】
前記係合溝は、前記スクリーンの４つの辺にそれぞれ設けたことを特徴とする
請求項１記載のリアプロジェクション装置。
【請求項６】
前面に開口された開口部を有すると共に内部に反射ミラーが取り付けられたキャビネットと、
前記キャビネットの内部に収納されると共に前記反射ミラーに向けて映像光を投射するプロジェクション本体と、
前記反射ミラーによって反射された前記映像光が投影される略四角形のスクリーンと、
前記スクリーンを保持すると共に前記キャビネットの前面に取り付けられるスクリーンフレームと、を備え、
前記スクリーンの少なくとも２辺に係合凸部を設けると共に、前記スクリーンフレームに前記係合凸部と係合する係合凹部を設けたことを特徴とする
リアプロジェクション装置。
【発明の詳細な説明】
【技術分野】
【０００１】
本発明は、映像光投射装置から出射された映像光を反射ミラーにより反射させてスクリーンの背面側に投射し、そのスクリーンに映像を表示させるリアプロジェクション装置に関するものである。
【背景技術】
【０００２】
一般的なリアプロジェクション装置は、キャビネットの前面に透過型スクリーンを配置し、映像投射装置から映像（光）をキャビネットに取り付けられたミラーで反射して透過型スクリーンに表示する構成となっている。このリアプロジェクション装置に用いられる透過型スクリーンは、映像投射装置から入射される光の方向を整えて略平行光として出射するフレネルレンズと、このフレネルレンズから出射された光を拡散させるレンチキュラーレンズとを備えて構成されている。そして、フレネルレンズとレンチキュラーレンズとは、フォーカス性能等の画質劣化が生じないように、互いに密着するように積層されている。
【０００３】
このような透過型スクリーンを保持するスクリーンフレームとしては、例えば、特許文献１に記載されているようなものがある。特許文献１には、背面投写型液晶プロジェクタ等に用いられるスクリーンに関するものが記載されている。この特許文献１に記載されたスクリーンは、「スクリーン幕がスクリーン固定枠にスクリーン押さえ部材を介して挟持的に保持されて成るスクリーンにおいて、上記スクリーン固定枠に、上記スクリーン押さえ部材を取り付けるための第１のボスと、ミラーカバーを取り付けるための第２のボスが一線上に設けられ、上記スクリーン押さえ部材が断面コ字状に形成されて成る」ことを特徴としている。
【０００４】
このような構成を有するスクリーンによれば、「スクリーン固定枠の幅を小さくすることができる。従って、スクリーンを見たとき、スクリーン固定枠が目立たなくなるため、画面が大きく見えるようになる」（明細書の段落［００３０］）等の効果が期待される。
【特許文献１】特開平１１−６４９８０号公報
【０００５】
この特許文献１に記載されたスクリーンは、スクリーン幕（本願発明のスクリーンに相当するため以下「スクリーン」という。）と、スクリーン固定枠（本願発明のスクリーンフレームに相当するため以下「スクリーンフレーム」という。）と、スクリーンフレームとの間でスクリーンを狭持するスクリーン押さえ部材等を備えて構成されていた。そして、スクリーンは、フレネルレンズ及びレンチキュラーレンズ（レンチキュラースクリーン）等を備えて構成されていた。一般に、フレネルレンズ及びレンチキュラーレンズは、透明性の高いアクリル樹脂から形成されている。アクリル樹脂は、空気中の水分を吸収（吸湿）して膨張する。そのため、リアプロジェクション装置が高湿度の環境下にあると、スクリーンが膨張してしまう。
【０００６】
膨張したスクリーンの外周がスクリーンフレームと干渉すると、スクリーンが弓形に反ってしまう。その結果、映像光投射装置から出射された映像光がスクリーンに到達するまでの距離が変化したり、フレネルレンズとレンチキュラーレンズが離間したりすることから、表示される画像にフォーカス性能等の画質劣化や歪み等が生じてしまう。そこで、特許文献１に記載されているような従来のリアプロジェクション装置のスクリーンは、スクリーンの外周とスクリーンフレームとの間に、所定の距離の間隙（クリアランス）を設け、スクリーンが膨張してもスクリーンフレームと干渉しないような構成となっていた。
【０００７】
しかしながら、スクリーンの外周とスクリーンフレームとの間に間隙を設けると、リアプロジェクション装置に振動や衝撃が加わった際に、スクリーンフレーム及びスクリーン押さえ部材によって狭持されたスクリーンがずれてしまう可能性があった。スクリーンがずれると、そのスクリーンが固定されたスクリーンフレームに、スクリーンの平面と平行であって互いに反対方向を向く力、いわゆる、せん断力が働く。スクリーンフレームは、一般に合成樹脂により形成されていて比較的剛性が低いため、せん断力が働くことによって、例えば、平面形状が平行四辺形やひし形に変形してしまう。
【０００８】
そして、スクリーンフレームが変形すると、そのスクリーンフレームを一体的に取り付けたキャビネットに、スクリーンフレームを正常な形に戻そうとする力（応力）が働く。キャビネットは、スクリーンフレームと同様に、合成樹脂により形成されているため、スクリーンフレームを正常な形に戻そうとする力によって変形してしまう。その結果、キャビネットに取り付けられたミラーの角度が変化し、スクリーンに表示される画像に歪みが生じるという問題があった。
【０００９】
なお、スクリーンフレームにせん断力が働かないように、スクリーン押さえ部材によるスクリーンの押し付けを弱くすることが考えられる。ところが、スクリーンの押し付けを弱くすると、スクリーンのフレネルレンズとレンチキュラーレンズとを密着させる力が弱くなってしまうため、フレネルレンズとレンチキュラーレンズの間に隙間が生じ、フォーカス性能等の画質劣化を引き起こしてしまうという問題があった。
【発明の開示】
【発明が解決しようとする課題】
【００１０】
解決しようとする問題点は、従来のリアプロジェクション装置では、スクリーンフレームとスクリーン押さえ部材でスクリーンを狭持して固定すると共に、スクリーンの外周とスクリーンフレームとの間に間隙を設ける構成であったため、装置に振動や衝撃等が加わるとスクリーンがずれてしまうという点である。
【００１１】
スクリーンがずれると、スクリーンフレームにせん断力が働くと共にキャビネットに応力が働くため、キャビネットが変形してしまう。そして、キャビネットが変形することによってミラーの角度が変わってしまうことから、スクリーンに表示される画像に歪みが生じるという不具合がある。
【００１２】
本発明の目的は、上述の問題点を考慮し、振動や衝撃等が加えられても、スクリーンフレームに取り付けたスクリーンが平面方向にずれることがないリアプロジェクション装置を提供することにある。
【課題を解決するための手段】
【００１３】
本発明のリアプロジェクション装置は、前面に開口された開口部を有すると共に内部に反射ミラーが取り付けられたキャビネットと、キャビネットの内部に収納されると共に反射ミラーに向けて映像光を投射するプロジェクション本体と、反射ミラーによって反射された映像光が投影される略四角形のスクリーンと、スクリーンを保持すると共にキャビネットの前面に取り付けられるスクリーンフレームと、を備えている。そして、スクリーンの少なくとも２辺に係合溝を設けると共に、スクリーンフレームに係合溝と係合する係合突部を設けたことを最も主要な特徴とする。
【発明の効果】
【００１４】
本発明のリアプロジェクション装置によれば、スクリーンに設けた係合溝とスクリーンフレームに設けた係合凸部を係合させるため、装置に振動や衝撃等が加わってもスクリーンが平面方向にずれることを抑制又は防止することができる。その結果、スクリーンがずれることによって引き起こされるキャビネットの変形を防ぐことができ、スクリーンに表示される画像に歪み等が生じることを防止することができる。
【発明を実施するための最良の形態】
【００１５】
以下、本発明のリアプロジェクション装置を実施するための最良の形態について、図面を参照して説明するが、本発明は以下の形態に限定されるものではない。
【００１６】
図１〜図８は、本発明の実施の形態の例を示すものである。即ち、図１は本発明のリアプロジェクション装置の第１の実施の形態を示す正面側から見た斜視図、図２は図１に示すリアプロジェクション装置の断面を模式的に表した説明図、図３は構造部品の分解斜視図、図４は光学ユニットの構成を示す模式図である。図５はスクリーンフレームにスクリーンを固定した状態を背面側から見た斜視図、図６はスクリーンフレームからスクリーンを取り外した状態の分解斜視図、図７はスクリーンフレームにスクリーンを配置した状態の平面図、図８は図７に示すＸ部分を拡大した説明図である。
【００１７】
図１〜図３は、本発明のリアプロジェクション装置の第１の実施の形態を示すリアプロジェクションテレビ１である。このリアプロジェクションテレビ１は、いわゆるテレビジョン受像機である。このリアプロジェクションテレビ１は、ＣＲＴやＬＣＤ素子等の画像表示デバイスを有する光学ユニットから映像光を出射し、その映像光を反射ミラーで反射してスクリーンに拡大投射することで映像（画像）を表示する。
【００１８】
このリアプロジェクションテレビ１は、前面の全体が開口された開口部２ａを有するキャビネット２と、このキャビネット２に取り付けられる反射ミラー３と、キャビネット２の内部に収納されるプロジェクション本体４と、反射ミラー３によって反射された映像光が投影されるスクリーン５と、このスクリーン５を保持すると共にキャビネット２の前面に取り付けられるスクリーンフレーム６等を備えて構成されている。
【００１９】
図２及び図３に示すように、キャビネット２は、前面に開口部２ａを有する中空の筐体からなっている。このキャビネット２の材質としては、ポリスチレン（ＰＳ）を挙げることができるが、ポリカーボネート（ＰＣ）、アクリロニトリル・ブタジエン・スチレン（ＡＢＳ）樹脂等、その他の合成樹脂を用いることもできる。
【００２０】
キャビネット２は、プロジェクション本体４が搭載される載置面部２ｂと、この載置面部２ｂの長辺の開口部２ａと反対側の一端と略垂直をなして連続する背面部２ｃと、この背面部２ｃに所定の傾斜角度をなして連続されると共に反射ミラー３が取り付けられる上面部２ｄと、左右の側面部とから構成されている。キャビネット２の上面部２ｄの内面には、複数のミラー係合片１１が設けられている。このミラー係合片１１に反射ミラー３の下辺部が係合される。
【００２１】
反射ミラー３は、下辺の長さが上辺よりも短い略台形の板状に形成されている。この反射ミラー３の大きさは、キャビネット２の上面部２ｄの大部分を覆い隠す大きさに設定されている。この反射ミラー３は、下辺部を上面部２ｄのミラー係合片１１に係合された状態で、ミラーホルダ１２によってキャビネット２に取り付けられている。
【００２２】
ミラーホルダ１２は、反射ミラー３の左辺部を保持する左側ミラーホルダ１２ａと、右辺部を保持する右側ミラーホルダ１２ｂと、上辺部を保持する上側ミラーホルダ１２ｃから構成されている。これらの３つのミラーホルダ１２ａ，１２ｂ，１２ｃは、それぞれ上面部２ｄにビス止めされている。
【００２３】
キャビネット２には、その内部を反射ミラー３側の空間部とプロジェクション本体４側の空間部に仕切るセパレータ７が取り付けられている。セパレータ７は、プロジェクション本体４の防塵の役割と、セパレータ７によって仕切られる反射ミラー３側の空間部とプロジェクション本体４側の空間部との空気の循環を作るためのシーリング作用としての役割を有している。このセパレータ７は、略Ｌ字状に折れ曲がった板体からなり、略長方形をなす第１面部７ａと、当該第１面部７ａの長辺の一端から所定の傾斜角度をなして連続する第２面部７ｂを有している。セパレータ７の第１面部７ａは、プロジェクション本体４の上面を覆い、第２面部７ｂは、プロジェクション本体４の前面を覆う。
【００２４】
第１面部７ａの略中央には、投射開口部１５が設けられている。この投射開口部１５には、プロジェクション本体４の後述する投射レンズ４６又は当該投射レンズ４６から投射される映像光が貫通される。この第１面部７ａにおいて第２面部７ｂと連続する長辺と反対側に位置する長辺の一端部には、プロジェクション本体４の後述する光学ユニット２１を冷却するための空気が吸気される吸気口１６が設けられている。更に、第１面部７ａには、面強度を高めるために複数の段部１７が階段状に設けられている。第２面部７ｂには、左右方向に所定の間隔を開けて２つのスピーカ設置１８，１８が取り付けられている。また、第２面部７ｂの略中央の左側には、リモコン受光部が設けられた配線基板１９が取り付けられている。
【００２５】
キャビネット２の載置面部２ｂには、プロジェクション本体４が搭載されている。このプロジェクション本体４は、図４に示すように、光学ユニット２１と、光源ユニット２２と、図には表れないシャーシ部材等を備えて構成されている。光源ユニット２２は、光学ユニット２１に光を照射する光源２３と、この光源２３を冷却する冷却装置を有している。この光源２３としては、例えば、高輝度放電ランプを挙げることができる。シャーシブロックは、光学ユニット２１及び光源ユニット２２を駆動制御する制御装置等を有している。
【００２６】
光学ユニット２１は、フライアイレンズ群３１と、ＰＳコンバータ３２と、２つの色分解ミラー３３，３４と、３つの反射ミラー３５，３６，３７と、３枚のコンデンサレンズ３８Ｒ，３８Ｇ，３８Ｂと、入射側偏光板３９と、液晶デバイスである３つの液晶パネル４０Ｒ，４０Ｇ，４０Ｂ及び出射側偏光板４１からなる３組のライトバルブ４２と、色合成用のクロスプリズム４３と、レンズ群４４と、反射ミラー４５と、投射レンズ４６と、３組のライトバルブ４２等を冷却する図に表れないシロッコファン等を備えている。
【００２７】
ＰＳコンバータ３２は、誘電体がコーティングされた短冊状のガラスを接着剤で貼り合わせることにより形成されている。液晶パネル４０Ｒ，４０Ｇ，４０Ｂの入射側には、それぞれ入射側の偏光板３９が薄いガラス板を介してコンデンサレンズ３８Ｒ，３８Ｇ，３８Ｂに接着されている。この液晶パネル４０Ｒ，４０Ｇ，４０Ｂの出射側には、それぞれ偏光板４１が薄いガラス板を介してクロスプリズム４３に装着されている。
【００２８】
次に、光源ユニット２２に設けた光源２３と、光学ユニット２１による映像投影の作用について説明する。まず、光源ユニット２２の光源２３から照射された光は、フライアイレンズ群３１によって均一化され、ＰＳコンバータ３２によって偏光方向が揃えられる。そして、偏光方向が揃えられた光は、反射ミラー３５，３６，３７と色分解ミラー３３，３４によって、Ｒ（赤）、Ｇ（緑）、Ｂ（青）の３色の光に分解される。
【００２９】
コンデンサレンズ３８Ｒ，３８Ｇ，３８Ｂ及び偏光板３９を通して液晶パネル４０Ｒ，４０Ｇ，４０Ｂに照射された３色の光は、画像信号によって変調され、偏光板４１を通して、その透過率が制御される。このようにして、液晶パネル４０Ｒ，４０Ｇ，４０Ｂ上に形成された画像は、クロスプリズム４３によって１つの映像光として合成される。この映像光は、レンズ群４４を透過して反射ミラー４５により反射され、投射レンズ４６を介してスクリーン５に投射される。
【００３０】
図５〜図７に示すように、スクリーン５は、スクリーンフレーム６とスクリーンホルダ８に狭持されて固定されている。このスクリーン５は、横長の長方形状に形成されている。図１０等に示すように、スクリーン５は、反射ミラー３側に配置されるフレネルレンズ５１と、このフレネルレンズ５１の反射ミラー３と反対側に配置されるレンチキュラーレンズ５２の組合せにより構成されている。フレネルレンズ５１及びレンチキュラーレンズ５２は、アクリル樹脂等の透明性の高い合成樹脂から形成されている。フレネルレンズ５１とレンチキュラーレンズ５２は、互いの平面が密着するように重ね合わされて一体に構成されている。
【００３１】
このようにして構成されたスクリーン５の４つの辺には、係合溝５３Ａ〜５３Ｄがそれぞれ設けられている。即ち、スクリーン５は、上辺の略中間部に設けられた上係合溝５３Ａと、下辺の略中間部に設けられた下係合溝５３Ｂと、背面側（キャビネット２側）から見て左側の辺を形成する左辺の略中間部に設けられた左係合溝５３Ｃと、右辺の略中間部に設けられた右係合溝５３Ｄとを有している。スクリーン５の４つの係合溝５３Ａ〜５３Ｄは、それぞれ設けられた辺と略直交する方向に延在されており、端部が半円状に形成されている。これら４つの係合溝５３Ａ〜５３Ｄには、スクリーンフレーム６の後述する４つの係合凸部６６Ａ〜６６Ｄがそれぞれ係合される。
【００３２】
スクリーンフレーム６は、長方形をなす横長の枠状部材からなっている。このスクリーンフレーム６は、長方形状のベース枠６１と、このベース枠６１の前面側に連続された長方形状をなす化粧枠６２とを備えて構成されている。スクリーンフレーム６の材質としては、ポリスチレン（ＰＳ）を挙げることができるが、ポリカーボネート（ＰＣ）、アクリロニトリル・ブタジエン・スチレン（ＡＢＳ）樹脂等、その他の合成樹脂を用いることもできる。
【００３３】
ベース枠６１は、キャビネット２の開口部２ａに対応した大きさに設定されている。このベース枠６１の内面には、複数の第１のホルダ固定部６４が設けられている。これら複数の第１のホルダ固定部６４は、長辺側の一辺である上辺部と２つの短辺である左辺部及び右辺部に沿って適当な間隔をあけて配置されている。第１のホルダ固定部６４は、ベース枠６１に設けられた段部６１ａに連続して略垂直（背面側）に突出する円筒状の筒体部として形成されている。この第１のホルダ固定部６４の内面には、図に表れないねじ溝が設けられており、このねじ溝にスクリーンホルダ８を固定する図示しない固定ねじが螺合される。
【００３４】
化粧枠６２は、ベース枠６１の前面から露出されるスクリーン５の外周部を囲うように枠状に形成されている。この化粧枠６２のキャビネット２側の面である背面には、複数の第２のホルダ固定部６５と、４つの係合凸部６６Ａ〜６６Ｄが設けられている。４つの係合凸部６６Ａ〜６６Ｄは、それぞれスクリーン５の４つの係合溝５３Ａ〜５３Ｄに対応する位置に設けられている。これら４つの係合凸部６６Ａ〜６６Ｄは、それぞれ４つの係合溝５３Ａ〜５３Ｄに見合った形状として同一形状に形成されている。
【００３５】
また、複数の第２のホルダ固定部６５は、化粧枠６２の長辺側の一辺である下辺部に沿って適当な間隔をあけて配置されている。第２のホルダ固定部６５は、化粧枠６２に連続して略垂直（背面側）に突出する円筒状の筒体部として形成されている。この第２のホルダ固定部６５の内面には、ベース枠６１に設けた第１のホルダ固定部６４と同様に、スクリーンホルダ８を固定する図示しない固定ねじが螺合されるねじ溝が設けられている。
【００３６】
図５及び図６に示すように、スクリーンホルダ８は、スクリーン５の外周部に沿って延在されており、複数（本実施の形態では５つ）に分割されて構成されている。５つのスクリーンホルダ８は、それぞれクランク状に折り曲げ加工された長尺状の部材からなり、スクリーンフレーム６に固定される固定部８ａと、スクリーン５の外周部を押圧する押圧部８ｂと、固定部８ａと押圧部８ｂを連結する連結部８ｃを有している。
【００３７】
スクリーンホルダ８の固定部８ａは、スクリーンフレーム６の複数の第１のホルダ固定部６４及び複数の第２のホルダ固定部６５に図示しない固定ねじによって固定されている。この際、スクリーンホルダ８の押圧部８ｂが、スクリーン５の外周部を押圧する。これにより、スクリーン５がスクリーンフレーム６に固定されている。
【００３８】
ここで、スクリーン５の４つの係合溝５３Ａ〜５３Ｄと、スクリーンフレーム６の４つの係合凸部６６Ａ〜６６Ｄの係合について説明する。図８は、図７に示すＡ部分を拡大した図であり、係合凸部６６Ａ及びスクリーン５の上係合溝５３Ａ等を表したものである。図８に示すように、係合凸部６６Ａ（係合突部６６Ｂ〜６６Ｄも同様）の長手方向の長さＹ１は、スクリーン５に設けた上係合溝５３Ａ（その他の係合溝５３Ｂ〜５３Ｄも同様）の長手方向の長さＹ２と略同一に設定されている。
【００３９】
また、係合凸部６６Ａ（係合突部６６Ｂ〜６６Ｄも同様）の幅方向の長さＸ１は、係合溝５３Ａ（その他の係合溝５３Ｂ〜５３Ｄも同様）の幅方向の長さＸ２よりも僅かに短く設定されている。なお、係合凸部６６Ａの幅方向の長さＸ１と係合溝５３Ａの幅方向の長さＸ２との差は、スクリーン５及びスクリーンフレーム６の寸法誤差を考慮したものであり、係合溝５３Ａと係合凸部６６Ａが幅方向の両側で当接してもよい。
【００４０】
そして、スクリーンフレーム６にスクリーン５を固定した状態において、スクリーンフレーム６のベース枠６１とスクリーン５の外周との間には、スクリーン５の膨張を考慮した間隙Ｚ１が生じるようになっている。そのため、スクリーン５に設けた係合溝５３Ａの先端とスクリーンフレーム６に設けた係合凸部６６Ａの先端との間には、間隙Ｚ１と略同一の大きさとなる間隙Ｚ２が生じる。
【００４１】
このようにして、スクリーン５の４つの係合溝５３Ａ〜５３Ｄと、スクリーンフレーム６の４つの係合凸部６６Ａ〜６６Ｄがそれぞれ係合される。そして、上係合溝５３Ａと係合凸部６６Ａを係合させると共に、下係合溝５３Ｂと係合凸部６６Ｂを係合させることにより、スクリーン５の上辺及び下辺が延在される方向（左右方向）への移動を抑制又は防止する。この際、スクリーン５の左右方向への移動を２箇所で抑制又は防止するため、スクリーン５の一部に大きな負荷をかけることがなく、スクリーン５が変形する心配がない。
【００４２】
また、左係合溝５３Ｃと係合凸部６６Ｃを係合させると共に、右係合溝５３Ｄと係合凸部６６Ｄを係合させることにより、スクリーン５の左辺及び右辺が延在される方向（上下方向）への移動を抑制又は防止する。この際、スクリーン５の上下方向への移動を２箇所で抑制又は防止するため、スクリーン５の一部に大きな負荷をかけることがなく、スクリーン５が変形する心配がない。
【００４３】
これにより、リアプロジェクション装置１に振動や衝撃等が加わっても、スクリーン５が平面方向にずれることを防止することができる。その結果、スクリーン５がずれることによって引き起こされるキャビネット２の変形を防ぐことができ、スクリーン５に表示される画像に歪み等が生じることを防止することができる。
【００４４】
いま、スクリーン５が空気中の水分を吸収（吸湿）して膨張したとする。このとき、スクリーンフレーム６のベース枠６１とスクリーン５の外周との間に間隙Ｚ１を設けると共に、４つの係合溝５３Ａ〜５３Ｄと４つの係合凸部６６Ａ〜６６Ｄとの間にそれぞれ間隙Ｚ２を設けたため、スクリーン５の膨張を妨げる心配がない。
【００４５】
また、スクリーン５をスクリーンフレーム６に固定した状態において、スクリーン５に設けた各係合溝５３Ａ〜５３Ｄの幅方向の両側とスクリーン６に設けた各係合凸部６６Ａ〜６６Ｄの幅方向の両側とは、それぞれ接近又は当接している。しかしながら、各係合溝５３Ａ〜５３Ｄをそれぞれスクリーン５の４つの辺の略中間部に設けたため、スクリーン５が各係合溝５３Ａ〜５３Ｄの幅方向の長さＸ１を狭めるように膨張することはなく、スクリーン５の膨張を妨げる心配がない。その結果、スクリーン５に反り等の変形が生じることを防止することができる。
【００４６】
本実施の形態では、スクリーン５の４つの辺にそれぞれ係合溝５３Ａ〜５３Ｄを設ける構成としたが、本発明に係るスクリーンとしては、これに限定されるものではない。本発明に係るスクリーンとしては、少なくとも２つの辺に係合溝を設ける構成とすることができるものである。この場合、スクリーン及びスクリーンフレームに施す加工を少なくすることができ、コストダウンを図ることができる。
【００４７】
例えば、スクリーンの隣り合う２つの辺に係合溝を設けた場合は、一方の辺に設けた係合溝とこれに係合する係合凸部により、一方の辺が延在される方向へのスクリーンの移動を抑制又は防止する。そして、スクリーンの他方の辺に設けた係合溝とこれに係合する係合凸部により、他方の辺が延在される方向へのスクリーンの移動を抑制又は防止する。
【００４８】
また、スクリーンの対向する２つの辺に係合溝を設けた場合は、２つの係合溝とこれらにそれぞれ係合される２つの係合凸部により、対向する２つの辺が延在される方向へのスクリーンの移動を抑制又は防止する。この場合、対向する２つの辺と直交する方向へのスクリーンの移動が抑制又は防止されないが、２箇所で対向する２つの辺が延在される方向への移動を抑制又は防止することでスクリーンが回転するように移動することを防ぐことができる。これにより、スクリーンがずれることによるスクリーンフレームの変形を抑制することができ、スクリーン５に表示される画像に歪み等が生じることを防止することができる。
【００４９】
特に、スクリーンの上辺及び下辺に係合溝を設け、その上辺及び下辺が延在される方向（横方向）へのスクリーンの移動を抑制又は防止した場合には、スクリーンがその自重によって上下方向の移動を抑制する。そのため、スクリーンの４つの辺に係合溝を設けた場合と同等の効果を得ることができる。
【００５０】
更に、本実施の形態では、スクリーンに係合溝を設けると共に、スクリーンフレームに係合溝に係合する係合凸部を設ける構成としたが、本発明のリアプロジクション装置としては、これに限定されるものではない。本発明のリアプロジクション装置としては、スクリーンに係合凸部を設けると共に、スクリーンフレームに係合凸部に係合する係合凹部を設ける構成としてもよい。
【００５１】
以上説明したように、本発明のリアプロジェクション装置によれば、スクリーンの平面方向への移動を防止又は抑制することができる。これにより、スクリーンがずれることによって引き起こされるキャビネットの変形を防ぐことができ、スクリーンに表示される画像に歪み等が生じることを防止することができる。また、スクリーンが空気中の水分を吸収（吸湿）して膨張しても、その膨張を妨げることがなく、スクリーンに反り等の変形が生じることを防止することができる。
【００５２】
本発明は前述しかつ図面に示した実施の形態に限定されるものではなく、その要旨を逸脱しない範囲内で種々の変形実施が可能である。例えば、前記実施の形態においては、リアプロジェクション装置としてリアプロジェクションテレビを適用した例について説明したが、パーソナルコンピュータや遊技機のディスプレイ装置、その他のリアプロジェクション装置にも適用できるものである。
【図面の簡単な説明】
【００５３】
【図１】本発明のリアプロジェクション装置の第１の実施の形態に係るリアプロジェクションテレビを正面側から見た斜視図である。
【図２】本発明のリアプロジェクション装置の第１の実施の形態に係るリアプロジェクションテレビの縦断面を模式的に示す説明図である。
【図３】本発明のリアプロジェクション装置の第１の実施の形態に係る構造部品の分解斜視図である。
【図４】本発明のリアプロジェクション装置の第１の実施の形態に係る光学ユニット及び光源ユニットの構成を示す模式図である。
【図５】本発明のリアプロジェクション装置の第１の実施の形態に係るスクリーンフレームにスクリーンを固定した状態を背面側から見た斜視図である。
【図６】本発明のリアプロジェクション装置の第１の実施の形態に係るスクリーンフレームからスクリーンを取り外した状態を背面側から見た斜視図である。
【図７】本発明のリアプロジェクション装置の第１の実施の形態に係るスクリーンフレームにスクリーンを配置した状態の平面図である。
【図８】図７に示すＡ部分を拡大して表したものであり、スクリーンの係合溝とスクリーンフレームの係合突部を説明する説明図である。
【符号の説明】
【００５４】
１…リアプロジェクションテレビ（リアプロジェクション装置）、  ２…キャビネット、２ａ…開口部、  ２ｃ…背面部、  ３…反射ミラー、  ４…プロジェクション本体、  ５…スクリーン、  ６…スクリーンフレーム、  ７…セパレータ、  ７ａ…第１面部、７ｂ…第２面部、  ８…スクリーンホルダ、  ２１…光学ユニット、  ２２…光源ユニット、    ４６…投射レンズ、  ５１…フレネルレンズ、  ５２…レンチキュラーレンズ、  ５３Ａ…上係合溝、  ５３Ｂ…下係合溝、  ５３Ｃ…左係合溝、  ５３Ｄ…右係合溝、  ６１…ベース枠、  ６２…化粧枠、  ６４…第１のホルダ固定部、  ６５…第２のホルダ固定部、  ６６Ａ〜６６Ｄ…係合凸部
【図１】
2008191417.tif 000003
【図２】
2008191417.tif 000004
【図３】
2008191417.tif 000005
【図４】
2008191417.tif 000006
【図５】
2008191417.tif 000007
【図６】
2008191417.tif 000008
【図７】
2008191417.tif 000009
【図８】
2008191417.tif 000010